(57)【要約】【課題】光ディスクに記録された映像情報や音声情報といったデジタル著作物が、他の光ディスクに不正にコピーされることを防止し、かつ、安定な信号再生を可能とする光ディスク記録装置を提供する。【解決手段】主情報が記録マークとして記録され、副情報が記録マークのエッジ位置をトラック方向に微少量変位させて記録する光ディスク記録装置において、遅延素子で付与する微小変位量を電気的に検出し、検出値が所定範囲より小さければ、微小変位量を大きくし、検出値が所定範囲より大きければ、微小変位量を小さくすることにより、最適な微小変位量を設定して、副情報を重畳記録する。【選択図】　図１
2004139700.tif 000002
【特許請求の範囲】
【請求項１】
主情報と主情報に重畳させて副情報を記録する光ディスク記録装置であって、主情報に応じて基本周期の整数倍の周期で信号レベルを切り替えることにより主情報記録信号を生成する主情報記録信号生成手段と、前記主情報記録信号のレベル変化点の位相を前記副情報に対応させて微小量変位させた記録信号を生成する副情報重畳手段と、前記副情報記録手段の出力から前記微小変位量を検出する微小変位量検出手段と、前記微小変位量検出手段の出力に基づき前記副情報重畳手段の微小変位量を制御する微小変位量制御手段とからなることを特徴とする光ディスク記録装置。
【請求項２】
前記副情報重畳手段は、前記主情報記録信号に含まれる同期信号を検出する同期信号検出手段と、前記同期信号検出手段から出力される同期信号を基準として、所定のタイミングで二進数系列符号を生成する二進数系列符号生成手段と、前記二進数系列符号生成手段の出力と前記副情報との所定の演算を行う副情報攪拌手段と、前記微小変位量制御手段の出力と前記副情報攪拌手段の出力とに基づき前記主情報記録信号のレベル変化点のタイミングを微小量、進めたり、遅らせたりする位相変調手段とからなることを特徴とする請求項１記載の光ディスク記録装置。
【請求項３】
前記位相変調手段は、前記記録信号を入力し、直列に接続された複数個の遅延素子と、前記微小変位量制御手段の出力と前記副情報攪拌手段の出力とから、前記複数個の遅延素子から出力を選択し、記録信号と遅延された遅延主情報記録信号とを出力する微小変位量選択手段とからなることを特徴とする請求項２記載の光ディスク記録装置。
【請求項４】
前記微小変位量検出手段は、前記遅延主情報記録信号のレベル変化点と前記記録信号のレベル変化点との位相誤差を検出し、進相誤差信号及び遅相誤差信号とを出力する位相誤差検出手段と、前記位相誤差検出手段の出力と前記副情報攪拌手段の出力との相関値を出力する相関値検出手段とからなることを特徴とする請求項１記載の光ディスク記録装置。
【請求項５】
前記相関値検出手段は、前記副情報攪拌手段の出力が第１のレベルの時には、進相誤差信号を第１の出力に、遅相誤差信号を第２の出力に設定し、前記副情報攪拌手段の出力が第２のレベルの時には、進相誤差信号を第２の出力に、遅相誤差信号を第１の出力に設定する切替手段と、前記切替手段の第１の出力を所定時間累加算し、前記切替手段の出力を所定時間累減算する積分手段とからなることを特徴とする請求項４記載の光ディスク記録装置。
【請求項６】
前記微小変位量制御手段は、前記相関値検出手段の出力の絶対値を演算する絶対値検出手段と、前記絶対値検出手段の出力が所定の範囲内であるかを判定する相関値判定手段と、前記相関値判定手段において、所定の範囲よりも大きな相関値の場合には前記微小変位量が少なくなるように、或いは所定の範囲よりも小さい場合には前記微小変位量が大きくなるように前記微小変位量選択手段による選択を行うように選択信号を生成する選択信号生成手段とからなることを特徴とする請求項１記載の光ディスク記録装置。
【発明の詳細な説明】
【０００１】
【発明の属する技術分野】
本発明は、光ディスク、その記録装置および再生装置に関するもので、特に、副情報を主情報に埋め込みながら記録する技術に関する。
【０００２】
【従来の技術】
ＤＶＤ（Ｄｉｇｉｔａｌ　Ｖｅｒｓａｔｉｌｅ／Ｖｉｄｅｏ　Ｄｉｓｃ）に代表される光ディスクは、ＡＶ（Ａｕｄｉｏ　Ｖｉｄｅｏ）データやコンピュータデータ等の大容量のデジタルデータを記録する媒体として広く普及している。例えば、２時間以上の高品質な動画が再生専用光ディスクに記録され、販売されている。このようなデジタル著作物が不正に他の記録媒体にコピーされることを防止するため、コンテンツ暗号と呼ばれる方式が導入されている（例えば非特許文献１参照）。
【０００３】
この方式は、映画等の圧縮されたデジタルコンテンツを３階層の秘密鍵（タイトル鍵、ディスク鍵、マスター鍵）を用いて暗号化し、ユーザがアクセス可能なユーザ情報領域に記録しておくものである。そして、秘密鍵の中で最も重要なマスター鍵についてはライセンスを受けた正規のメーカーにだけ通知し、ＤＶＤ毎及びタイトル毎に必要とされるディスク鍵及びタイトル鍵については、マスター鍵に基づいて暗号化し、ユーザがアクセスできない制御情報領域に格納しておくものである。これにより、ユーザは復号に必要な秘密鍵へのアクセスが制限されるため、ファイルコピー等による不正コピーはできない。
【０００４】
しかしながら、このような技術では、秘密鍵を記録した制御情報領域も含めた全記録領域の内容がそのまま他の光ディスクに不正にコピーされてしまった場合には、正規の再生装置によって暗号化コンテンツが復号され、再生されてしまう。
【０００５】
そこで、図１０に示すようにデジタルコンテンツなどの主情報が記録された光ディスクに対し、主情報を構成する記録マークの標準的なエッジ位置をトラック方向に微少量変化させる位相変調によって副情報を記録する方法が提案されている（例えば特許文献１参照）。
【０００６】
図１０は、従来の光ディスク記録装置における動作説明タイミング図である。主情報を構成する標準的な記録マーク（図１０のＣ）のエッジを乱数系列（図１０のＤ）と記録する副情報との排他的論理和を施したものをＰＥ変調し（図１０のＥ）、ＰＥ変調信号が“Ｈ”の時は、標準記録マークのエッジをトラック方向に微少量だけ進ませ、また、ＰＥ変調信号が“Ｌ”の時は、標準記録マークのエッジをトラック方向に微少量だけ遅らせたりするといった位相変調（図１０のＦ）し、光ディスク上に主情報と副情報の記録（図１０のＧ）を行う。
【０００７】
図１１及び図１２は、従来の光ディスク記録装置で、主情報と、主情報に重畳した副情報とを再生する光ディスク再生装置の構成をしめした構成図である。図１１及び図１２を用いて、その動作を説明する。
【０００８】
クロック抽出回路１０４に光ヘッド１０１で読み出されたアナログ読み出し信号を再生チャネル１０２で波形等化等の処理を経て、ディジタル読み出し信号が生成される。このディジタル読み出し信号には、エッジ部に副情報を重畳させたことにより、クロック抽出回路１０４で生成される再生クロックとの位相に微小な誤差が含まれており、クロック抽出回路１０４では、その位相誤差を、進相誤差信号及び遅相誤差信号として出力する。同期信号検出回路１０７で、特定の同期パターンが検出され、同期信号が出力される。同期信号に基づき、擬似乱数生成回路１０８において、記録時と同じタイミングとなるように、擬似乱数系列が生成され、ＰＥ変調回路１０９でＰＥ変調が施される。
【０００９】
同期検波回路１０６で、ＰＥ変調された位相変調検出制御信号が“Ｈｉｇｈ”状態においては、進相誤差信号を加算し、遅相誤差信号を減算する。位相変調検出制御信号が“Ｌｏｗ”状態においては、遅相誤差信号を加算し、進相誤差信号を減算する。この様な処理を所定のバイト数分の積分が終了した時点で、積分器の出力が正の相関のしきい値を上回っている場合には、副情報として“１”が検出され（同時に検出フラグが“１”出力）、負の相関のしきい値を下回っている場合には、副情報として“１”が検出される（同時に検出フラグが“１”出力）。また、負の相関のしきい値と正の相関のしきい値との間にある場合は、副情報が正しく埋め込まれていないと判断し、検出フラグ“０”が出力される。
【００１０】
以上のようにして、副情報の検出を行うことができる。
【００１１】
これによって、制御情報領域を含めた全記録領域の内容をそのまま他の光ディスクに不正にビットコピーされたとしても、記録マークのエッジに重畳した副情報はコピーできないため、副情報として秘密鍵などの情報を記録しておくことで正規の再生装置などで復号できなくすることができる。
【００１２】
また、ベースジッタ（主情報のみが記録されているときに発生するジッタ）と、変位量Δｔ（トラック方向に位相変調を行う変位量）とから進相エッジ及び遅相エッジ各々の検出確率を求める方法が開示されている（例えば特許文献２参照）。
【００１３】
【特許文献１】
特開２００１−３５７５３３号公報（第６−１１頁、第１図−第１６図）
【特許文献２】
特開２００２−２０３３７４号公報（第１２−１４頁、第１４図−第１８図）
【非特許文献１】
日経エレクトロニクス１９９６年１１月１８日号、第１３−１４頁
【００１４】
【発明が解決しようとする課題】
しかしながら、従来技術において、変位量を大きくすれば副情報の検出確率は向上し、信頼性は増すが、再生ジッタも増加し、主情報を再生する際に支障が生じる。ＤＶＤ−ＲＯＭディスクの場合では、ジッタが８．５％以下でなければならないと規定されている。
【００１５】
図１３は、変位させた変位量と再生ジッタとの関係を計算により求めたものであり、クロック周期（Ｔｗ）の４％の変位量を付加することにより、ジッタは１％程度増加する。またこの計算には、エッジ位置を変位することによるトラック方向のピット或いはマーク間の相互干渉による影響は考慮されていないが、相互干渉によるさらなるジッタ増加が考えられる。
【００１６】
従って、仮にジッタ増加の許容範囲を０．３％以下と規定すると、変位量のＴｗに対する割合は２％程度となる。例えば、クロック周波数が６０ＭＨｚであれば、変位量は、０．３ｎｓに相当する。この変位量を実現するためには、ディレイラインやゲート遅延などが用いられる。前者を用いた場合、価格が高くなるため、後者を用いる場合が多いが、環境温度や電源電圧の変動、或いはゲート素子のばらつき等により、その変位量の変動が大きい。
【００１７】
図１４は、変位量と副情報１ビットの誤検出確率との関係を示したものである。図１４は、副情報の１ビットを埋め込む主情報の長さを従来例と同じであるとして、ベースジッタと変位量とから、副情報１ビットの誤検出確率を算出した結果である（この時、位相変調が施されるエッジ数が必要となるために、ＤＶＤで採用されている８−１６変調での平均的なエッジ数を用いた）。
【００１８】
先ほど述べた理由で、変位量をクロック周期の２％とすると、図１４に示したように、誤検出確率は、主情報のみを記録した場合のジッタが８％以下であれば、１ｅ−８（ｅは、１０のべき乗）以下となる。
【００１９】
しかしながら、先ほど述べた理由により、変位量が環境温度や電源電圧の変動や、ゲート素子のばらつき等により変化した場合、特に少なくなった場合を考える。例えば、変位量が２％に対して、１．５％になった場合、つまり０．３ｎｓ相当に対して、０．２２５ｎｓ（規定量の７５％）になった場合、ディスクの経年劣化によりベースジッタの劣化も含めて、副情報１ビットの誤検出確率は、３〜５けた悪化する。
【００２０】
本発明はかかる問題に鑑みてなされたものであり、デジタル著作物が記録された光ディスクがそっくりそのまま不正にコピーされることを防止するとともに、副情報を主情報に重畳記録する際にして、信頼性良く、副情報を重畳記録できる光ディスク記録装置を提供することを目的とする。
【００２１】
【課題を解決するための手段】
本発明は、上記した課題を解決するために、主情報と主情報に重畳させて副情報を記録する光ディスク記録装置であって、主情報に応じて基本周期の整数倍の周期で信号レベルを切り替えることにより主情報記録信号を生成する主情報記録信号生成手段と、前記主情報記録信号のレベル変化点の位相を前記副情報に対応させて微小量変位させた記録信号を生成する副情報重畳手段と、前記副情報記録手段の出力から前記微小変位量を検出する微小変位量検出手段と、前記微小変位量検出手段の出力に基づき前記副情報重畳手段の微小変位量を制御する微小変位量制御手段とから構成される光ディスク記録装置である。
【００２２】
そして、前記副情報重畳手段は、前記主情報記録信号に含まれる同期信号を検出する同期信号検出手段と、前記同期信号検出手段から出力される同期信号を基準として、所定のタイミングで二進数系列符号を生成する二進数系列符号生成手段と、前記二進数系列符号生成手段の出力と前記副情報との所定の演算を行う副情報攪拌手段と、前記微小変位量制御手段の出力と前記副情報攪拌手段の出力とに基づき前記主情報記録信号のレベル変化点のタイミングを微小量、進めたり、遅らせたりする位相変調手段とからなる光ディスク記録装置である。
【００２３】
さらには前記位相変調手段は、前記記録信号を入力し、直列に接続された複数個の遅延素子と、前記微小変位量制御手段の出力と前記副情報攪拌手段の出力とから、前記複数個の遅延素子から出力を選択し、記録信号と遅延された遅延主情報記録信号とを出力する微小変位量選択手段とからなる光ディスク記録装置である。
【００２４】
また前記微小変位量検出手段は、前記遅延主情報記録信号のレベル変化点と前記記録信号のレベル変化点との位相誤差を検出し、進相誤差信号及び遅相誤差信号とを出力する位相誤差検出手段と、前記位相誤差検出手段の出力と前記副情報攪拌手段の出力との相関値を出力する相関値検出手段とからなる光ディスク記録装置である。
【００２５】
さらには前記相関値検出手段は、前記副情報攪拌手段の出力が第１のレベルの時には、進相誤差信号を第１の出力に、遅相誤差信号を第２の出力に設定し、前記副情報攪拌手段の出力が第２のレベルの時には、進相誤差信号を第２の出力に、遅相誤差信号を第１の出力に設定する切替手段と、前記切替手段の第１の出力を所定時間累加算し、前記切替手段の出力を所定時間累減算する積分手段とからなる光ディスク記録装置である。
【００２６】
そして、前記微小変位量制御手段は、前記相関値検出手段の出力の絶対値を演算する絶対値検出手段と、前記絶対値検出手段の出力が所定の範囲内であるかを判定する相関値判定手段と、前記相関値判定手段において、所定の範囲よりも大きな相関値の場合には前記微小変位量が少なくなるように、或いは所定の範囲よりも小さい場合には前記微小変位量が大きくなるように前記微小変位量選択手段による選択を行うように選択信号を生成する選択信号生成手段とからなる光ディスク記録装置である。
【００２７】
【発明の実施の形態】
（実施の形態１）
以下、本発明の第１の実施形態について図面を用いて詳細に説明する。
【００２８】
図１は本発明に係る主情報と、主情報に重畳させて副情報を光学的に読み取り可能な記録マークにより主情報と副情報とを記録する光ディスク記録装置の構成図である。
【００２９】
図１において、１は入力される主情報で、図示しない誤り訂正符号付加手段により誤り訂正符号が付加され、所定の変調処理が施されたものとする。２は主情報１を入力し、基準周期の整数倍でレベルが変化する主情報記録信号３を生成する主情報記録信号生成手段である。４は副情報重畳手段であり、主情報記録信号生成手段２の出力の主情報記録信号３のタイミングの変化点、つまり立ち上がりエッジ及び立ち下がりエッジのタイミングを異ならすことにより、副情報を主情報記録信号３に重畳させ、記録信号５を得るものである。８は微小変位量検出手段で、記録信号５と遅延主情報記録信号７とのエッジの位相差を検出する微小変位量検出手段で、１０は、微小変位量検出手段８で検出された微小変位量に応じて、副情報重畳手段４で主情報記録信号３のエッジのシフト量を制御する微小変位量制御手段である。
【００３０】
図２は、主情報記録信号生成手段２の動作を説明する動作概念図である。所定の変調則により変調された主情報１は、“０”レベルの連続する最小長及び最大長が制限されており、例えばＤＶＤで用いられる８−１６変調では、同期信号部以外では“０”レベルの連続は、２〜１０個で規定されている。この主情報１は、基準クロックに同期しており、図２に示すように“１”レベルが出現する毎にレベルが反転するような主情報記録信号３が生成される。従って、同期信号部を除いて、同じレベルが連続する長さは３Ｔｗから１１Ｔｗとなる。
【００３１】
また、図３は副情報重畳手段４の構成を説明する構成図である。
【００３２】
図３において、２１は主情報記録信号３に含まれる同期信号検出手段で、ＤＶＤディスクの場合、１セクタに存在する２６個のフレームの各先頭に含まれた、データ部の変調則に現れないユニークなパターンを持つ同期信号を検出し、同期信号検出パルスを出力する。２３は同期信号検出手段２１で検出された同期信号検出パルス２２を基準として、擬似乱数系列２４を生成する擬似乱数系列生成手段であり、所定のクロック毎に擬似乱数を発生するものである。本実施例では、図２の基準クロックの１６クロック毎に擬似乱数が更新されるものとする。つまり主情報記録信号３は、変調前の主情報の１バイトが８−１６変調により、１６チャネルビットに変換されるので、擬似乱数系列２４の更新タイミングは、変調前の主情報の１バイトに相当する。
【００３３】
２５は副情報生成手段であり、主情報に関連した副情報が生成される。具体的には、著作権管理情報（例えば、コピー許可回数など）が、所定のフォーマットで生成され、それに続いて誤り訂正符号などが付与されたものを副情報とする。
【００３４】
２６は擬似乱数系列２４と副情報生成手段２５の出力との論理演算、本実施例では排他的論理和演算を施す論理演算回路で、副情報攪拌信号２８を出力し、２７は論理演算後の出力にＰＥ変調を施し、位相変調制御信号６を出力するＰＥ変調手段である。
【００３５】
ＰＥ変調手段２７は、基準クロックの１６クロック単位に、入力される副情報攪拌信号２８が“０”の時には、前半８クロックが“０”で後半の８クロックが“１”、また副情報攪拌信号２８が“１”の時には、前半８クロックが“１”で後半の８クロックが“０”である位相変調制御信号６が出力される。位相変調手段２９は主情報記録信号３のエッジの位相を位相変調制御信号６及び選択信号１１とにより遅らせたり進めたりする位相変調手段で、図４にその詳細な構成を示す。
【００３６】
図４において、３１は各々の遅延素子の遅延量がΔｔである遅延素子を複数個、直列に接続した遅延素子群であり、３２は選択信号１１と位相変調制御信号６に基づき、遅延素子群のうちの１個の遅延素子の出力を選択して記録信号５を出力し、同時に遅延主情報記録信号７を出力する選択手段である。図５は詳細な位相変調手段２９の動作を説明する動作説明図である。
【００３７】
図５において、入力される主情報記録信号３を直列に接続された遅延素子により順次Δｔだけ遅延させる。選択信号１１により微小変位量が決定されると、図５に示すように、エッジの進み量、遅れ量の中間になるような遅延素子からの出力が遅延主情報記録信号７として出力され、位相変調制御信号６に応じて、遅延主情報記録信号７に対して、位相が進んだ状態の遅延素子出力と、位相が遅れた状態の遅延素子出力とが選択されて出力される。つまり、主情報記録信号３のエッジをａだけ遅らせたものを遅延主情報記録信号２８として出力し、選択信号１１と位相変調制御信号６とにより、エッジをａ＋ｎ・Δｔ、あるいはａ−ｎ・Δｔ変移させたものを記録信号５として出力するものである。
【００３８】
図６は微小変移量検出手段８の構成を示す構成図であり、記録信号５と遅延主情報記録信号７とのエッジの位相差を検出し、その位相差が進んでいるときには進相位相誤差信号４２を、遅れているときには遅相位相誤差信号４３を出力する。各々の位相誤差信号は、位相誤差量に比例してパルス幅が変化するものである。
【００３９】
４４は進相位相誤差信号４２および遅相位相誤差信号４３と、位相変調制御信号６とから、相関値を検出する相関値検出手段で、その構成を図７に示す。
【００４０】
図７は相関値検出手段４４の構成図であり、切り替え手段４４ａは、２個の２入力１出力の切替器からなり、進相位相誤差信号４２および遅相位相誤差信号４３のそれぞれを、位相変調制御信号６が“１”の時には、積分手段４４ｂの正入力端子及び負入力端子に通過させ、“０”の時には、クロスさせて積分手段４４ｂの負入力端子及び正入力端子に通過させる。積分手段４４ｂは、差動入力のアナログ積分器であり、正入力端子に入力された信号を加算していき、負入力端子に入力された信号を減算していく。この結果、微少変位時間に比例した積分値が得られる。
【００４１】
さらに、図８は微小変位量制御手段の構成例を示す構成図である。相関値検出手段４４の出力の相関値９が所定範囲の値になっているか否かの判定を行う相関値判定手段６１と、相関値判定手段６１の出力から位相変調手段２９の遅延素子群３１のうち出力を選択する選択信号を制御する選択信号生成手段６２とからなり、相関値判定手段６１で、相関値９が所定範囲より大きい場合には、遅延量が小さい、つまり微小変位量を小さくなるように遅延素子群３１の選択信号を設定し、所定範囲以下であれば、遅延量を大きく、つまり微小変位量を大きくするように遅延素子群３１の選択信号を設定する。
【００４２】
さらに、図９は、本実施例の光ディスク記録装置の各ブロックのタイミングチャートである。図１から図９を用いて、本実施例の光ディスク記録装置の動作について説明する。
【００４３】
誤り訂正符号が付加されて変調処理が施された主情報１は、主情報記録信号生成手段２で主情報のみが記録される場合の主情報記録信号３が生成され、副情報重畳手段４に入力される。副情報重畳手段４では、主情報記録信号３に含まれる同期信号を検出し、検出された同期信号に対応して同期信号検出パルス２２が出力される。擬似乱数系列生成手段２３で、同期信号検出パルス２２を基準に、主情報記録信号３の基準クロックの１６クロック毎に擬似乱数系列２４が生成される。従来例と同様に、所定のフレーム数毎に副情報生成手段２５から副情報が１ビットずつ出力され、排他的論理和演算手段２６により擬似乱数系列との論理演算が施される。図９で示した副情報攪拌信号２８は、副情報が“０”の時を示しており、副情報が“１”の場合には、反転した波形となる。
【００４４】
ＰＥ変調手段２７で、入力される副情報攪拌信号２８の１単位時間、すなわち１６クロック区間毎に副情報攪拌信号２８が“０”の時には、前半の８クロックの間“０”、後半８クロックの間“１”に、副情報攪拌信号２８が“１”の時には、前半の８クロックの間“１”、後半８クロックの間“０”になる位相変調制御信号６が生成される。
【００４５】
生成された位相変調制御信号６及び後述する選択信号１１により、位相変調手段２９により主情報記録信号のエッジの位相が微小量変位される。
【００４６】
位相変調手段２９の具体的な動作について、説明する。
【００４７】
位相変調手段２９で出力される遅延主情報記録信号７は、複数個、直列に接続された遅延素子のうち、遅延量が全体の遅延量の半分程度になる遅延素子の出力が選択されて出力されるように構成されている。この遅延量をαとする。
【００４８】
また記録信号５は、選択信号１１で、位相を進める場合、及び位相を遅らせる場合の変位量に相当する遅延素子の出力を選択し、かつ位相変調制御信号６により、位相を進めるか、遅らせるかを決定する。具体的には、遅延素子の遅延量を標準温度、標準電圧での標準遅延量Δｔとすると、選択信号１１によりα＋ｎ・Δｔ、α−ｎ・Δｔとなる（ｎは、選択信号により選択される遅延素子と遅延主情報記録信号７生成時の遅延素子との段数との差）ように、選択される。
【００４９】
この様にして生成された記録信号５を元に、光ディスク上に光学的に記録可能なマークを形成し、主情報と副情報とを記録する。
【００５０】
副情報の再生方法については、従来例と同様の構成で再生することができるので、ここではその説明を省略する。
【００５１】
次に、本実施例の特徴である記録信号のエッジの微小変位量を検出する動作について説明する。
【００５２】
上記の様に副情報が重畳された記録信号５は図示しない記録手段に出力されるが、微小変位量をモニターする際には、微小変位量検出手段８に入力される。この時、位相変調制御信号６及び遅延主情報記録信号７も、微小変位量検出手段８に入力される。
【００５３】
微小変位量検出手段８では、位相誤差検出手段４１により、記録信号５と遅延主情報記録信号７との位相差を検出し、位相差に比例したパルス幅を持つ進相誤差信号４２と遅相誤差信号４３とが生成される。これは、図９に示すように、遅延主情報記録信号７のエッジが、記録信号５のエッジよりも進んでいる場合には、進相誤差信号４２が出力され、遅延主情報記録信号７のエッジが記録信号５のエッジよりも遅れているときには、遅相誤差信号４３が出力される。
【００５４】
この両者の誤差信号は切替手段４４ａに入力される。切替手段４４ａでは、位相変調制御信号６に基づいて、位相変調制御信号が“０”の時には、遅相誤差信号４３が、後述する積分手段４４ｂの＋入力に、進相誤差信号４２が積分手段４４ｂの−入力に、位相変調制御信号が“１”の時には、進相誤差信号４２が積分手段４４ｂの＋入力に、遅相誤差信号４３が−入力に接続されるように切り替えられる。つまり、位相誤差を位相変調制御信号６に基づいて意図的に付加したことを検出するために、正しい位相ずれ方向となった位相誤差量と間違った位相ずれ方向となった位相誤差量との各々の積分値の差を求めるものである。
【００５５】
従って、本実施例では、電気信号的に位相差を検出するものであるので、従来例で示したように、ディスクからの再生信号に基づく検出値に比べて、再生ジッタがほとんど無いので、高精度に付加した位相変位量に応じた相関値が検出できる。
【００５６】
次に微小変位量検出手段８で検出された相関値９が所定範囲内に入っているか否かを微小変位量制御手段１０で判定する。想定した微小変位量の位相ずれが付加されているとすれば、相関値９は、総エッジ数と遅延量ｎ・Δｔにより求めることができる。これにばらつきを考慮した範囲内に相関値９が含まれているか否かを判定し、所定範囲より大、所定範囲内、所定範囲より小をあらわす信号を相関値判定手段６１により生成する。選択信号生成手段６２において、相関値判定手段６１で、所定範囲よりも大きいと判断された場合には、選択信号を（ｎ−１）　にして、位相変位量が±（ｎ−１）・Δｔになるように設定し、同じように微小変位量を測定する。また、所定範囲内よりも小さいと判断された場合には、選択信号を（ｎ＋１）にして、位相変位量を±（ｎ＋１）・Δｔになるように設定し、同様に再測定を行う。
【００５７】
以上の動作を所定範囲内に相関値９が含まれるようになるまで、つまり最適な微小変位量となるまで繰り返し行う。
【００５８】
なお、本発明の光ディスク記録装置について、実施形態に基づいて説明したが、本発明はこの実施形態に限られないことは勿論である。また、上記光ディスク記録装置における特徴的な構成要素をステップとする記録方法及び再生方法として実現することもできる。
【００５９】
さらには、光ディスク記録装置として説明したが、光ディスクに変位量決定領域を設け、その変位量決定領域に記録信号５を用いて実際に記録を行い、再生時の読み取り信号を用いて、従来例（図１１、図１２）と同じ方法で、相関値を求めることにより、本実施例と同様に微小変位量の最適化を行えるが、実際に光ディスクに記録した場合には、再生ジッタが大きく、微小変位量による変動を短時間に精度よく検出することは難しい。
【００６０】
また、本実施例で述べたような方法で微小変位量を最適化した後、光ディスク上に実際にテスト記録を行い、同様に検出することにより最適性の判断を行う構成をとっても何らの問題も無い。
【００６１】
【発明の効果】
以上の説明から明らかなように、本発明に係る光ディスク記録装置は、光ディスク上に、光学的に読み取り可能な記録マークによって主情報が記録され、この記録マークのエッジ位置をトラック方向に微少量だけ変位させる位相変調によって副情報が重畳して記録する光ディスク記録装置であって、エッジ位置を環境温度、電源電圧の変動や遅延素子ばらつきを吸収して、精度良く、安定した微小な変位量を設定できるので、信頼性良く副情報の重畳、或いは検出ができ、また微小変位量を検出する際には、これまでの副情報検出手段を流用できるので、コストアップも少なく、その実用上の価値は高い。
【図面の簡単な説明】
【図１】本発明の実施例の光ディスク記録装置の構成図
【図２】本発明の実施例の光ディスク記録装置における主情報記録信号生成手段２の動作タイミング図
【図３】本発明の実施例の光ディスク記録装置の副情報重畳手段４の構成図
【図４】本発明の実施例の光ディスク記録装置の位相変調手段２９の構成図
【図５】本発明の実施例の光ディスク記録装置の位相変調手段２９の動作タイミング図
【図６】本発明の実施例の光ディスク記録装置の微小変位量検出手段の構成図
【図７】本発明の実施例の光ディスク記録装置の相関値検出手段４４の構成図
【図８】本発明の実施例の光ディスク記録装置の微小変位量制御手段１０の構成図
【図９】本発明の実施例の光ディスク記録装置の動作タイミング図
【図１０】従来の光ディスク記録装置の動作タイミング図
【図１１】従来の光ディスク再生装置の構成図
【図１２】従来の光ディスク再生装置の同期検波回路の構成図
【図１３】従来の光ディスク記録装置における微小変位量と再生ジッタとの関係を示す図
【図１４】従来の光ディスク記録装置における微小変位量と副情報の１ビットの当たりの誤検出確率との関係を示す図
【符号の説明】
１　主情報
２　主情報記録信号生成手段
３　主情報記録信号
４　副情報重畳手段
５　記録信号
６　位相変調制御信号
７　遅延主情報記録信号
８　微小変位量検出手段
９　相関値
１０　微小変位量制御手段
１１　選択信号
２１　同期信号検出手段
２３　擬似乱数系列生成手段
２５　副情報生成手段
２６　排他的論理和演算手段
２７　ＰＥ変調手段
２９　位相変調手段
４１　位相誤差検出手段
４３　遅相誤差信号
４４　相関値検出手段
６１　相関値判定手段
６２　選択信号生成手段
【図１】
2004139700.tif 000003
【図２】
2004139700.tif 000004
【図３】
2004139700.tif 000005
【図４】
2004139700.tif 000006
【図５】
2004139700.tif 000007
【図６】
2004139700.tif 000008
【図７】
2004139700.tif 000009
【図８】
2004139700.tif 000010
【図９】
2004139700.tif 000011
【図１０】
2004139700.tif 000012
【図１１】
2004139700.tif 000013
【図１２】
2004139700.tif 000014
【図１３】
2004139700.tif 000015
【図１４】
2004139700.tif 000016